(57)【要約】【課題】環境に応じた最適の色の見えレベルの照明を実現できる簡単な構成の照明システム１を提供する。【解決手段】照明システム１は、光源１０と、所定波長帯の光の強度から演色性を示す情報を取得するための色センサ２０と、光の明るさを示す情報を取得するための照度センサ３０と、演色性を示す情報および明るさを示す情報をもとに光源１０を制御する制御部４０と、を具備する。【選択図】図１
2015185365.tif 000002
【特許請求の範囲】
【請求項１】
光源と；
所定波長帯の光の強度から、演色性を示す情報を取得するための色情報取得部と；
光の明るさを示す情報を取得するための明るさ情報取得部と；
前記演色性を示す情報および前記光の明るさを示す情報をもとに、前記光源を制御する制御部と、を具備することを特徴とする照明システム。
【請求項２】
前記制御部が所定時間間隔で前記光源を制御することを特徴とする請求項１に記載の照明システム。
【請求項３】
前記制御部が、前記演色性を示す情報が所定範囲になるように、前記光源を制御することを特徴とする請求項２に記載の照明システム。
【請求項４】
前記光源が、第１のＬＥＤユニットと、第１のＬＥＤユニットから照射される光に演色性を向上させる光を付加する第２のＬＥＤユニットとを含み、
前記制御部が、前記演色性を示す情報が所定値以上の場合、前記第２のＬＥＤユニットを点灯しないことを特徴とする請求項３に記載の照明システム。
【請求項５】
前記明るさ情報取得部が明るさセンサであり、
前記色情報取得部が、前記所定の波長帯の光以外を遮断するカラーフィルタに覆われた前記明るさセンサを有することを特徴とする請求項３に記載の照明システム。
【請求項６】
前記色情報取得部が、それぞれ赤色カラーフィルタ、緑色カラーフィルタおよび青色カラーフィルタに覆われた３種類の前記照度センサを有することを特徴とする請求項５に記載の照明システム。
【請求項７】
前記光が、照明光と太陽光とを含み、
前記所定の波長帯が、前記太陽光が含む波長帯であって、前記光源が発生する光に含まれない波長帯であることを特徴とする請求項５に記載の照明システム。
【請求項８】
前記色情報取得部および前記明るさ情報取得部が、前記光源で照明された対象領域の画像から前記演色性を示す情報および前記明るさを示す情報を取得することを特徴とする請求項３に記載の照明システム。
【請求項９】
複数の前記光源を具備することを特徴とする請求項３に記載の照明システム。
【請求項１０】
請求項１から請求項９のいずれか１項に記載の照明システムを複数有し、
それぞれの前記照明システムの前記制御部が、別の前記照明システムの前記演色性を示す情報および前記明るさを示す情報として、それぞれの前記光源を制御することを特徴とする照明システムユニット。
【請求項１１】
所定波長帯の光の強度から、演色性を示す情報を取得する色情報取得部と、
光の明るさを示す情報を取得する明るさ情報取得部と、
前記演色性を示す情報および前記明るさを示す情報をもとに、所定時間間隔で、光源を制御する制御部と、を具備することを特徴とする照明制御システム。
【請求項１２】
前記制御部が、前記演色性を示す情報が設定された所定範囲になるように、前記光源を制御することを特徴とする請求項１１に記載の照明制御システム。
【発明の詳細な説明】
【技術分野】
【０００１】
本発明の実施形態は、光源から出射された光を照明光として照射する照明システム、複数の前記照明システムを有する照明システムユニット、および前記照明システムの照明制御システムに関する。
【背景技術】
【０００２】
ＬＥＤ（発光ダイオード：Light Emitting Diode）照明は、省エネルギーで寿命が長いことから環境負荷の小さい照明として普及が進んでいる。ここで、ＬＥＤが発生する光は、太陽光と比較すると含まれる波長帯域が限られるため、色の見え（Color appearance）が自然ではないことがある。色の見えの評価は、演色性、例えば、平均演色評価数Ｒａにより行われている。しかし、人が感じる色の見えは、演色性だけではなく、明るさによっても左右される。これは、ハント効果（Hunt effect）と呼ばれている。照度を極端にあげることでハント効果を補償することができるが、電力（エネルギー）消費量の増加を招く。
【０００３】
このため、エネルギー消費量を過度に大きく増加することなく、バランスの良い色の見え方を実現するための照明システム等が検討されている。しかし、従来検討されていた照明システム等は、極めて複雑な構成であった。
【０００４】
また、外光（太陽光）が差し込む室内においては、時間により、照明環境は変化する。また、例えば、通常のオフィスや倉庫においては、自然光と同じレベルの色の見えは要求されていない。色の見えを不必要なレベルまで改善すると電力消費量が増加する。
【０００５】
照明環境および要求レベルに応じた、適切な色の見えの照明を実現するためには、簡単な構成の照明システムが必要である。
【先行技術文献】
【特許文献】
【０００６】
【特許文献１】特開２０１３−２０１１３２号公報
【発明の概要】
【発明が解決しようとする課題】
【０００７】
本発明の実施形態は、環境に応じた、適切な色の見えレベルの照明を実現できる簡単な構成の照明システム、複数の前記照明システムを有する照明システムユニット、および前記照明システムの照明制御システムを提供することを目的とする。
【課題を解決するための手段】
【０００８】
本発明の実施形態の照明システムは、光源と、所定波長帯の光の強度から演色性を示す情報を取得するための色情報取得部と、光の明るさを示す情報を取得するための明るさ情報取得部と、前記演色性を示す情報および前記光の明るさを示す情報をもとに、前記光源を制御する制御部と、を具備する。
【図面の簡単な説明】
【０００９】
【図１】第１実施形態の照明システムの構成図である。
【図２】第１実施形態の変形例１の照明システムの構成図である。
【図３】第１実施形態の変形例２の照明システムの構成図である。
【図４】第１実施形態の変形例３の照明システムの構成図である。
【図５】第２実施形態の照明システムの構成図である。
【図６】第３実施形態の照明システムユニットの構成図である。
【発明を実施するための形態】
【００１０】
＜第１実施形態＞
図１に示すように、実施形態の照明システム１は、光源１０と、色情報取得部である色センサ２０と、色センサ２０の出力から演色性を示す情報としての演色値を算出する演算部２５と、明るさ情報取得部である明るさセンサ３０と、光源１０を含む照明システム１の全体を制御する制御部４０と、記憶部４１と、設定部４９と、電源５０とを具備する。
【００１１】
例えば、光源１０は照明対象である部屋の天井に配設され、色センサ２０および明るさセンサ３０は天井面、壁面、床面、または設定部４９を兼ねた操作リモコン等に配設される。その他の制御部４０等は、天井裏、または別の部屋、例えば、建物の集中管理室等に配設されていてもよい。
【００１２】
詳細は後述するが、設定部４９により制御部４０による制御の条件が設定される。設定部４９は製造時に設定されてもよいし、ユーザーが設定可能であってもよい。
【００１３】
光源１０は、擬似白色の照明光を発生する。光源１０は、青色光（例えば、３８０ｎｍ〜４７０ｎｍ）を発光する青色ＬＥＤ１１と、青色光を受光すると黄色光（例えば、５７０ｎｍ〜５８５ｎｍ）を発生する蛍光体１２と、を組み合わせて、黄色光と青色光とを混合することにより疑似白色光を発生するＬＥＤユニット１３を含む。なお、疑似白色光は、効率良く、すなわち低消費電力で強い光を発生することができるが、太陽９０からの白色光（太陽光）に比べると演色性は低い。
【００１４】
なお、紫外光を発生するＬＥＤと、紫外光を受光して青色光、緑色光、赤色光を発生する蛍光体とで構成された光源でもよい。また、青色ＬＥＤ１１と緑色ＬＥＤ（例えば、４９５ｎｍ〜５７０ｎｍ）と赤色ＬＥＤ（例えば、６００ｎｍ〜７５０ｎｍ）とからなる光源でもよい。
【００１５】
色センサ２０は、それぞれが赤色光、緑色光、または青色光を除く光を遮断するカラーフィルタ、すなわち、赤色フィルタ２０Ｆ１、緑色フィルタ２０Ｆ２、または青色フィルタ２０Ｆ３に覆われた３種類の照度センサ２１Ａ、２１Ｂ、２１Ｃを含む。照度センサ２１Ａ、２１Ｂ、２１Ｃは、入射光の強度に応じた電気信号を出力するフォトダイオード等の受光素子からなる。
【００１６】
演算部２５は、色センサ２０の出力する赤色光、緑色光および青色光の強度から、演色性を示す演色値ＣＲを算出する。
【００１７】
例えば、所定の照度の光を検出しているときの照度センサ２１Ａが出力する赤色光強度をＬＲ、照度センサ２１Ｂが出力する緑色光強度をＬＧ、照度センサ２１Ｃが出力する青色光強度をＬＢとすると、演色値ＣＲは以下の（式１）から算出される。
【００１８】
ＣＲ＝（ＬＲ／ＬＲ０）＋（ＬＧ／ＬＧ０）＋（ＬＢ／ＬＢ０）    ・・・  （式１）
但し、ＬＲ０、ＬＧ０、ＬＢ０は所定の照度の太陽光を受光したときの各センサの出力値である。
【００１９】
演色値は平均演色評価数Ｒａと所定の比例関係にあるため、以下、演色値を平均演色評価数Ｒａで説明する。なお、演算部２５は、独立した構成要素である必要はなく、色センサ２０に組み込まれているＣＰＵ等であってもよいし、制御部４０が演算部の機能を有していてもよい。
【００２０】
明るさセンサ３０は、色センサ２０の照度センサ２１Ａ等と同じ機能の受光素子からなる。すなわち、明るさセンサ３０は白色光の強度を照度として出力する。
【００２１】
なお、照明範囲が広い場合には、複数の色センサ２０および複数の照度センサ３０から、複数の演色値および複数の照度を取得し、例えば、それらの平均値を用いて制御部４０が制御を行ってもよい。
【００２２】
電源５０は、光源１０等に電力を供給する。電源５０は、例えば、商用電源を光源１０に必要な電力に変換して供給する点灯装置であり、電源５０から供給される電力（電流）が増大すると、光源１０が発生する照明光の強度は大きくなる。
【００２３】
ＣＰＵ等からなる制御部４０は、設定部４９の設定に応じて照明システム１の全体の制御を行う。  
【００２４】
ユーザーによる起動指示、すなわち電源スイッチであるＳＷ４８がＯＮになると、制御部４０は、電源５０を制御して光源１０に電力を供給する。すると、光源１０が照明光を発生する。なお、以下、制御部４０が、「電源５０から光源１０に供給する電力を制御する。」ことを、「光源を制御する。」という。
【００２５】
照明システム１による照明状態は、光源１０の経時変化や温度等により変化する。最初に制御部４０は、照度センサ３０の出力する照度（明るさ）が、設定部４９により設定された所定値になるように光源１０に供給される電力をフィードバック制御する。なお、起動時に、制御部４０はフィードバック制御ではなく、予め設定されている所定の電力を光源１０に供給してもよい。
【００２６】
次に、制御部４０は色センサ２０の出力をもとに演算部２５が算出した演色値をもとに、光源１０に供給される電力を所定量だけ増減する。このため、照明光は、演色性は殆ど変化しないが、所望の色の見えレベルを達成できる。なお、演色値をもとに行われる電力の増減量等の制御パターンは記憶部４１に記憶されている、制御パターンは、演色度に対応した電力の増減量の表、または、演色値と電力の増減量との関係式等の形式で記憶されている。
【００２７】
照明システム１では、演色値に応じて、制御部４０は、記憶部４１に記憶されている制御パターンに基づいて光源１０を制御する。すなわち、光源１０の制御方法は、照度センサ３０の出力に基づくフィードバック制御または定電力制御から、演色値に基づく所定の制御パターンに基づくパターン制御に切り替わる。この演色性優先のパターン制御では、後述するように、照度センサ３０の出力する値、すなわち照明光の明るさは増加することもあるが、減少することもある。
【００２８】
演色性優先のパターン制御では、例えば、光源１０の演色性が６５〜８５の範囲である場合には、制御部４０は演色値がＲａ相当で７０未満の場合には光源１０に供給される電力（電流値）が５％増加するように制御し、７０〜８５の場合には出力を増減させず明るさが所定値になるように制御し、８５以上の場合には５％減少、９５以上の場合には１０％減少するように制御する。
【００２９】
照度が増加しても演色性は変化しない。しかし、ハント効果により、色の見えレベルを改善できる。また、演色性が高く照度を減少しても色の見えレベルをある程度確保することができる場合には、消費電力を減少することができる。
【００３０】
起動後に決定された制御内容は、例えば、記憶部４１に記憶し、次回の起動時の初期設定値としてもよい。また、設定部４９により優先設定が行われてもよい。この場合に明るさ優先設定の場合には、演色値に基づくパターン制御は行われない。さらに、省エネが、それほど重視されない場合には、演色値が所定値以上でも電力を減少する制御は行われない。
【００３１】
さらに、照明システム１では、設定部４９により作業内容が設定されている場合には、制御部４０は作業内容に応じて光源１０を制御する。設定部４９により設定される作業内容には、例えば、物品の仕分け作業、事務作業、デザイン、ＰＣ作業、展示等である。これらの作業内容は、オフィス、展示場、または倉庫等の使用場所に応じて設定される。作業内容が設定されていない場合には、制御部４０は、例えば事務作業を標準使用場所として制御を行う。
【００３２】
例えば、展示設定の場合には、制御部４０は演色値がＲａ相当で７０未満の場合には光源１０に供給される電力が２５％増加するように制御し、８０未満の場合には１０％増加するように制御し、９０未満の場合には５％増加するように制御し、９５％以上の場合には５％減少するように制御する。
【００３３】
すなわち、展示設定では、事務作業設定よりも、色の見えレベルが高くなるように光源１０は制御される。
【００３４】
反対に、倉庫等の物品の仕分け作業設定の場合には、制御部４０は、例えば、演色値がＲａ相当で７０未満の場合だけ、光源１０に供給される電力が５％増加するように制御する。
【００３５】
すなわち、倉庫では、オフィスよりも、色の見えレベルが低くなるように光源１０は制御される。
【００３６】
照明システム１は、起動時に、演色値に応じて光源１０に供給される電力を増減するだけで、色の見えレベルを常に適切に管理できる。
【００３７】
ここで、照明環境は外光（太陽光）の影響を受けることが多い。この場合、昼間は光源１０からの照明光に太陽光が重畳されるため、夜間に比べて演色性の高い光となる。さらに、天気、窓の位置、窓の大きさ、および太陽の高度の影響等により、照明光を含む光、すなわち照明光に太陽光が重畳された光の演色性は時間の経過につれて変化する。
【００３８】
このため、制御部４０は、所定時間間隔、例えば１０分毎に起動時と同じように、その時の環境に応じて光源１０を制御することが特に好ましい。制御間隔は、例えば、１分以上１時間以下が好ましい。前記範囲以上では、頻繁な照明変化が発生しないため、ユーザーが違和感を感じることがなく、前記範囲以下であれば状況に応じた適切な制御が可能である。
【００３９】
照明システム１では、制御部４０が、定期的にその時の状況に応じて適切な色の見えレベルとなるように光源１０を制御する。
【００４０】
なお、以上は光源を具備する照明システム１について説明したが、既存の光源に対して照明システム１の照明制御システム９を用いることもできる。
【００４１】
例えば、実施形態の照明制御システム９は、所定波長帯の光の強度から演色性を示す演色値を取得する色情報取得部と、光の明るさを取得する明るさ情報取得部と、前記演色値および明るさをもとに所定時間間隔で光源を制御する制御部と、を具備する。
【００４２】
＜変形例＞
次に第１実施形態の変形例１〜変形例３の照明システム１Ａ〜１Ｃについて説明する。照明システム１Ａ〜１Ｃは、照明システム１と類似しているため、同じ機能の構成要素には同じ符号を付し説明は省略する。後述するように、照明システム１〜１Ｃは、照明システム１の効果を有し、さらに独自の効果を有する。
【００４３】
＜変形例１＞
図２に示すように変形例１の照明システム１Ａは、Ｎ個の光源１０Ａ１から１０ＡＮを具備する。ここで、Ｎは２以上の整数である。以下、同じ機能の複数の構成要素をいうときは、末尾の数字１文字を省略する、例えば、光源１０Ａ１から１０ＡＮのそれぞれを光源１０Ａという。また、以下の図では太陽９０は表示しないことがある。
【００４４】
光源１０と同じ構成である複数の光源１０Ａ〜１０ＡＮにより、照明システム１Ａは、照明システム１よりも広い範囲を照明する。
【００４５】
また、照明場所による照明状態の相違を解消するために、照明システム１Ａでは、２つの照度センサ３０Ａ１、３０Ａ２および２つの色センサ２０Ａ１、２０Ａ２を有する。なお、照度センサ３０Ａ等の数は照明場所の面積等により適宜得、選択される。すなわち、照度センサ３０等の数は、光源１０Ａの数より、多くても少なくともよいし、逆に、１個でもよい場合もある。
【００４６】
複数の照度センサ３０Ａ等を有する場合には、制御部４０Ａは、演算部２５Ａが算出する複数の演色値の平均値をもとに制御を行ってもよいし、照度センサ３０Ａ等の配置に応じて複数の照度センサに重み付けを行って制御を行ってもよい。
【００４７】
さらに、制御部４０Ａは、複数の光源１０Ａ１〜１０ＡＮを異なる電力供給状態になるように電源５０Ａを制御してもよい。例えば、制御部４０Ａは、演色値がＲａ相当で７０未満の場合に、光源１０Ａ１に供給される電力が２５％増加するように制御するのに対して、光源１０Ａ２に供給される電力が２０％増加するように制御し、光源１０ＡＮに供給される電力が１５％増加するように制御してもよい。
【００４８】
照明システム１Ａは、照明システム１の効果を有し、さらに、より広い範囲を１つのシステムで適切な色の見えレベルで照明できる。
【００４９】
＜変形例２＞
変形例２の照明システム１Ｂの色センサ２０Ｂは、可視光波長帯であって光源１０が発生する光に含まれない波長帯の光の強度を取得する。
【００５０】
図３に示すように、照明システム１Ｂでは、色センサ２０Ｂは、赤色光を検出する照度センサ２１Ａを含み、緑色光を検出する照度センサ２１Ｂおよび青色光を検出する照度センサ２１Ｇを含んでいない。ここで、赤色光を検出する照度センサ２１Ａとしては、例えば７００ｎｍ以上の波長体を検出するもの、好ましくは７５０ｎｍ以上の波長帯または近赤外線を検出するものが望ましい。赤色光、特に７００ｎｍ以上の波長帯は、太陽光には含まれるが、擬似白色光の光源１０が発生する照明光にはほとんど含まれない。このため、色センサ２０Ｂは、太陽光の明るさを、光源１０からの照明光の明るさと、分離して検出することができる。
【００５１】
すでに説明したように、太陽光の演色性は非常に良い。このため、太陽光が、より多く重畳されている照明光は演色性がよい、逆に太陽光が重畳されていない照明光は演色性が悪い、すなわち、演色度と太陽光の明るさ（明度）とは比例関係にある。このため、太陽光の照度に基づく制御は、演色値に基づく制御と同じ効果を有する。
【００５２】
例えば、照度センサ２１Ａが出力する赤色光強度をＬＲとすると、演色度ＣＲＢは以下の（式２）から算出される。
【００５３】
ＣＲＢ＝（ＬＲ／ＬＲ０）    ・・・  （式２）
但し、ＬＲ０は太陽光を受光したときの照度センサ２１Ｇの出力値である。
【００５４】
制御部４０Ｂは、色センサ２０Ｂから出力される太陽光の演色値および照度センサの照度値にもとづき、光源１０に供給する電力を増減する。
【００５５】
照明システム１Ｂは、照明システム１の効果を有し、さらに構成が簡単で制御も容易である。
【００５６】
なお、照明システム１Ｂは、照明システム１Ａと同じように複数の光源を具備していてもよい。
＜変形例３＞
【００５７】
図４に示すように変形例３の照明システム１Ｃは、照明対象領域の画像を取得するＣＭＯＳ等のイメージセンサを含む撮像部６０を具備する。そして、照明システム１Ｃでは、色情報取得部および明るさ情報取得部の機能を有するＣＰＵからなる制御部４０Ｃが、光源１０で照明された対象領域の画像から、演色値または彩度と、照度または輝度とを取得する。もちろん、照明システム１Ｃは、彩度および輝度を算出する専用の画像処理部を有していてもよい。
【００５８】
なお、別目的、例えば室内監視用の撮像装置がある場合には、照明システム１Ｃが撮像部を具備している必要はなく、室内監視用の撮像装置が撮影した画像を用いて、制御部４０Ｃが、彩度および輝度を算出してもよい。
【００５９】
また、画像の一部の領域だけから、彩度および輝度を算出してもよいし、画像の複数の領域毎に彩度および輝度を算出し、その平均値等を用いて制御部４０Ｃが制御を行ってもよい。なお、彩度および輝度を算出する領域等は設定部４９により設定される。
【００６０】
照明システム１Ｃは、照明システム１の効果を有し、さらに、より広い範囲の演色性に基づき制御部４０Ｃが制御を行うため、局部的な照明ムラまたは通行人の影等の影響を受けにくい。
【００６１】
＜第２実施形態＞
第２実施形態の照明システム１Ｄは、照明システム１等と類似しているので、同じ構成要素には同じ符号を付し説明は省略する。
【００６２】
図５に示すように、照明システム１Ｄの光源１０Ｄは、青色光を発光する青色ＬＥＤ１１と、青色光を吸収して黄色光を発生する黄色蛍光体１２と、を組み合わせて、黄色光と青色光とが混合された疑似白色光を発生する第１のＬＥＤユニット１３に加えて、赤色光を発生する赤色ＬＥＤで構成された第２のＬＥＤユニット１４を有する。第２のＬＥＤユニット１４は、第１のＬＥＤユニットから照射される光に赤色光を付加することで演色性を向上させる。また、第１のＬＥＤユニットよりも演色性の高い擬似白色光源を用いて第２のＬＥＤユニットを構成してもよい。また、赤色ＬＥＤ、緑色ＬＥＤ、青色ＬＥＤで第２のＬＥＤユニットを構成してもよいし、赤色ＬＥＤ、緑色ＬＥＤ、青色ＬＥＤと擬似白色光を組み合わせて第２のＬＥＤユニットを構成してもよい。つまり、第２のＬＥＤユニットによって第１のＬＥＤユニットから照射される光に付加することで演色性を向上させるように構成されていればよい。
【００６３】
青色光と黄色光と赤色光を発生する光源１０Ｄは、光源１０よりも、演色性の良い照明光を発生する。しかし、第２のＬＥＤユニットとしての赤色ＬＥＤ１４の発光効率は、第１のＬＥＤ１１の発光効率よりも低い。このため、常時、赤色ＬＥＤ１４を点灯していると、消費電力が大きい。
【００６４】
照明システム１Ｄでは、制御部４０Ｄは起動時に光源１０Ｄの第１のＬＥＤ１１だけに電力を供給する第１の照明モードで制御を行う。そして、制御部４０Ｄは演色値が所定値未満だった場合に、赤色ＬＥＤ１４にも電力を供給する第２の照明モードで制御を行う。すなわち、制御部４０Ｄは演色値が所定値以上の場合、第２のＬＥＤユニット１４を点灯しない。
【００６５】
照明システム１Ｄは、起動時等には第１の照明モードでは低電力で照明を行い、演色性が低い場合にだけ、第２の照明モードでは実際に演色性のよい照明光を発生するため、色の見えレベルを確実に改善できる。
【００６６】
なお、照明システム１Ｄは、照明システム１Ａと同じように複数の光源を具備していてもよいし、さらに、照明システム１Ｂの構成の色センサを有していてもよいし、照明システム１Ｃのように画像を用いて演色値を取得してもよい。
【００６７】
なお、これまでに説明した照明システム１Ａから   照明システム１Ｄの照明制御システムが、照明制御システム９と同様に、既存の光源に対しても用いることもできることは言うまでもない。
【００６８】
＜第３実施形態＞
図６に示すように第３実施形態の照明システムユニット２は、２個の照明システム１Ｅ１、１Ｅ２を具備する。それぞれの照明システム１Ｅは、すでに説明した照明システム１、１Ａ〜１Ｄのいずれかと同じ構成である。
【００６９】
照明システム１Ｅ１の制御部４０Ｅ１は、照明システムＥ２の演色値および明るさを補助情報として、光源１０Ｅ１を制御する。同様に照明システム１Ｅ２の制御部４０Ｅ２は、照明システム１Ｅ１の演色度および明度を補助情報として、光源１０Ｅ２を制御する。
【００７０】
ここで、補助情報とは色センサ２０Ｅ１から取得した演色値の、例えば、補正係数として用いる情報である。照明システムＥ２の演色値が所定値よりも低い場合には、照明システムＥ１の演色値に、１以上の補正係数が乗算されて、制御部４０Ｅ１は、より多くの電力を光源１０Ｅ１に供給するように制御する。
【００７１】
これは、ユーザーが感じる色の見えレベルは、近くの照明状態だけでなく、他の照明システムで照明されている離れた領域の照明状態によっても増減するためである。照明システムユニット２の制御部４０Ｅは、離れた領域の照明状態を補助情報として光源１０Ｅを制御するため、広い空間の色の見えレベルを適切に制御することができる。
【００７２】
なお、照明システムユニット２が、３個以上の照明システムを具備していてもよいことは言うまでも無い。また、照明システム１Ｅの配置状態および距離等に応じて、別の照明システム１Ｅからの補助情報に重み付けして制御を行ってもよい。すなわち、近くの照明システム１Ｅからの情報を、遠くの照明システム１Ｅからの情報よりも重要視する制御である。
上記各実施形態では、色情報取得部で取得した演色値を演色性として制御する場合について説明したが、例えば色情報取得部で取得したＲＧＢの強度比と明るさとを対応づけたテーブルを記憶しておき、光源を制御してもよい。
【００７３】
表１に、ＲＧＢの強度比と明るさとを対応づけたテーブルの一例を示す。
【００７４】
2015185365.tif 000003
【００７５】
表１では、例えばＲＧＢの強度比が６：４：１のときには２００ｌｘを目標照度値に設定し、ＲＧＢ強度比が２：２：２のときは目標照度値が６００ｌｘであることを示している。逆に照度が２００lxの場合には演色性が向上するように制御することで、ＲＧＢ強度比を６：４：１にするように制御してもよい。
【００７６】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更ができる。これら実施形態やその変形は、発明の範囲や要旨に含まれるとともに、特許請求の範囲に記載された発明とその均等の範囲に含まれる。
【符号の説明】
【００７７】
１、１Ａ〜１Ｅ・・・照明システム
２・・・照明システムユニット
９・・・照明制御システム
１０・・・光源
１１・・・青色ＬＥＤ
１２・・・蛍光体
１３・・・ＬＥＤユニット
１４・・・第２のＬＥＤユニットとしての赤色ＬＥＤ
２０・・・色センサ
２５・・・演算部
３０・・・照度センサ
４０・・・制御部
４１・・・記憶部
４９・・・設定部
５０・・・電源
５０・・・色センサ
６０・・・撮像部
９０・・・太陽
【図１】
2015185365.tif 000004
【図２】
2015185365.tif 000005
【図３】
2015185365.tif 000006
【図４】
2015185365.tif 000007
【図５】
2015185365.tif 000008
【図６】
2015185365.tif 000009